(57)【要約】  オブジェクトを含む第１ページをディスプレイする段階と、該第１ページ上のオブジェクトが、第１ページ上の所定の領域に移動されることにより、第１信号を生成する段階と、該第１信号に応答し、第１ページを含む複数枚のページを表示する段階と、該オブジェクトが第２ページ上に重畳されることによって、第２信号を生成する段階と、該第２信号に応答し、オブジェクトを第２ページに移動させる段階と、を含むページ間のオブジェクト移動方法及びその装置である。
2014505932.tif 000002
【特許請求の範囲】
【請求項１】
ページ間でオブジェクトを移動する方法において、
前記オブジェクトを含む第１ページをディスプレイする段階と、
前記第１ページ上の前記オブジェクトが、前記第１ページ上の所定の領域に移動されることにより、第１信号を生成する段階と、
前記第１信号に応答し、前記第１ページを含む複数枚のページを表示する段階と、
前記オブジェクトが第２ページ上に重畳されることによって、第２信号を生成する段階と、
前記第２信号に応答し、前記オブジェクトを前記第２ページに移動させる段階と、
を含むページ間のオブジェクト移動方法。
【請求項２】
前記オブジェクトが、前記第２ページ上に重畳される時間が所定時間以上持続すれば、前記第２信号が生成されることを特徴とする請求項１に記載のページ間のオブジェクト移動方法。
【請求項３】
前記第１信号を生成する段階は、前記オブジェクトに係わるタッチ入力を受信する段階と、
前記オブジェクトが、前記所定の領域内に位置するまで、前記オブジェクトに係わるタッチ入力を維持する段階と、
を含むことを特徴とする請求項１に記載のページ間のオブジェクト移動方法。
【請求項４】
前記第１信号を生成する段階は、
前記オブジェクトを、第１臨界時間以上タッチする第１ホールド入力、前記オブジェクトを前記所定の領域に移動させるドラッグ入力、及び前記所定の領域に移動された前記少なくとも１つのオブジェクトを、第２臨界時間以上タッチする第２ホールド入力が順次に受信されれば、前記オブジェクトが、前記所定の領域に移動されることを特徴とする請求項１に記載のページ間のオブジェクト移動方法。
【請求項５】
前記複数枚のページは、深さ方向に傾けて表示されることを特徴とする請求項１に記載のページ間のオブジェクト移動方法。
【請求項６】
前記方法は、
前記少なくとも１つのオブジェクトが、前記第２ページに移動されれば、前記第２ページのみを表示する段階をさらに含むことを特徴とする請求項１に記載のページ間のオブジェクト移動方法。
【請求項７】
前記所定の領域は、
画面のエッジであることを特徴とする請求項１に記載のページ間のオブジェクト移動方法。
【請求項８】
前記第１ページまたは前記第２ページへのパニング入力によって、前記第１ページまたは前記第２ページの臨界領域以上が画面から外れれば、第３信号を生成する段階と、
前記第３信号に対応して、前記複数枚のページを前記画面上に共に表示する段階と、
をさらに含むことを特徴とする請求項１に記載のページ間のオブジェクト移動方法。
【請求項９】
前記方法は、
前記第１ページまたは前記第２ページへのピンチング入力が受信されれば、第４信号を生成する段階と、
前記第４信号に応答し、前記第１ページまたは前記第２ページに、上位オブジェクトをディスプレイする段階と、
前記上位オブジェクトのうち一つを選択するタッチ入力が受信されれば、第５信号を生成する段階と、
前記第５信号に応答し、前記選択された上位オブジェクトに属する一つ以上の下位オブジェクトを、前記第１ページまたは前記第２ページにディスプレイする段階と、
をさらに含むことを特徴とする請求項１に記載のページ間のオブジェクト移動方法。
【請求項１０】
前記方法は、
前記第１ページまたは前記第２ページへのピンチング入力が受信されれば、第４信号を生成する段階と、
前記第４信号に応答し、前記第１ページまたは前記第２ページ内のオブジェクトを重畳してディスプレイする段階と、
前記重畳されたオブジェクトのうち一つを選択するタッチ入力が受信されれば、第５信号を生成する段階と、
前記第５信号に応答し、前記選択されたオブジェクトに隣接した複数のオブジェクトを重畳させないようにディスプレイする段階と、
をさらに含むことを特徴とする請求項１に記載のページ間のオブジェクト移動方法。
【請求項１１】
ページ間でオブジェクトを移動させるインターフェース装置において、
第１ページ上のオブジェクトが、前記第１ページ上の所定の領域に移動されれば、第１信号を生成する第１生成部と、
前記オブジェクトを含む前記第１ページを表示し、前記第１信号に応答し、前記第１ページを含む複数枚のページを表示する表示部と、
前記オブジェクトが第２ページ上に重畳されれば、第２信号を生成する第２生成部と、
前記第２信号に応答し、前記オブジェクトを前記第２ページに移動させるページ構成部と、
を含むインターフェース装置。
【請求項１２】
前記第２生成部は、
前記オブジェクトが、前記第２ページ上に重畳される時間が所定時間以上持続すれば、前記第２信号を生成することを特徴とする請求項１１に記載のインターフェース装置。
【請求項１３】
前記装置は、前記オブジェクトに係わるタッチ入力を受信するインターフェース部を含み、
前記オブジェクトが、前記所定の領域内に位置するまで、前記オブジェクトに係わるタッチ入力が維持されることを特徴とする請求項１１に記載のインターフェース装置。
【請求項１４】
前記表示部は、
前記複数枚のページを、深さ方向に傾けて表示することを特徴とする請求項１１に記載のインターフェース装置。
【請求項１５】
前記ページ構成部は、
前記オブジェクトが、前記第２ページに移動されれば、前記第２ページのみが表示されるように制御することを特徴とする請求項１１に記載のインターフェース装置。
【請求項１６】
前記所定の領域は、
画面のエッジであることを特徴とする請求項１１に記載のインターフェース装置。
【請求項１７】
前記第１ページまたは前記第２ページへのパニング入力によって、前記第１ページまたは前記第２ページの臨界領域以上が画面から外れれば、第３信号を生成する第３生成部をさらに含み、
前記ページ構成部は、前記第３信号に対応して、前記複数枚のページを表示することを特徴とする請求項１１に記載のインターフェース装置。
【請求項１８】
前記装置は、前記第１ページまたは前記第２ページへのピンチング入力が受信されれば、第４信号を生成する第４生成部と、
前記第１ページまたは前記第２ページ内のオブジェクトのうち一つを選択するタッチ入力が受信されれば、第５信号を生成する第５生成部と、をさらに含み、
前記ページ構成部は、前記第４信号に応答し、前記第１ページまたは前記第２ページに上位オブジェクトを表示し、前記第５信号に応答し、前記選択されたオブジェクトに係わる下位オブジェクトを表示することを特徴とする請求項１１に記載のインターフェース装置。
【請求項１９】
前記装置は、前記第１ページまたは前記第２ページへのピンチング入力が受信されれば、第４信号を生成する第４生成部と、
前記第１ページまたは前記第２ページ内のオブジェクトのうち一つを選択するタッチ入力が受信されれば、第５信号を生成する第５生成部と、をさらに含み、
前記ページ構成部は、前記第４信号に応答し、前記第１ページまたは前記第２ページ内のオブジェクトを重畳して表示し、前記第５信号に応答し、前記選択されたオブジェクトに隣接した複数のオブジェクトを重畳させないように表示することを特徴とする請求項１１に記載のインターフェース装置。
【請求項２０】
前記ページ構成部は、
前記選択されたオブジェクトへのタッチ入力が維持される間、前記選択されたオブジェクトと同一行に位置したオブジェクトを重畳させないように配置し、前記タッチ入力が終われば、前記選択されたオブジェクトに隣接した１行以上の行に位置したオブジェクトを重畳させないように配置することを特徴とする請求項１９に記載のインターフェース装置。
【請求項２１】
オブジェクトを含む第１ページをディスプレイする段階と、
前記第１ページ上の前記オブジェクトが、前記第１ページ上の所定の領域に移動されることにより、第１信号を生成する段階と、
前記第１信号に応答し、前記第１ページを含む複数枚のページを表示する段階と、
前記オブジェクトが第２ページ上に重畳されることによって、第２信号を生成する段階と、
前記第２信号に応答し、前記オブジェクトを前記第２ページに移動させる段階と、
を含むページ間のオブジェクト移動方法を具現するためのプログラムが記録されたコンピュータで読み取り可能な記録媒体。
【発明の詳細な説明】
【技術分野】
【０００１】
本発明は、ページ間でオブジェクトを移動する方法及びその装置に係り、特に、タッチパッドを利用して、第１ページに含まれるオブジェクトを第２ページに移動させる方法及びその装置に関する。
【背景技術】
【０００２】
最近、スマートフォンが大衆化されながら、以前にはコンピュータでのみ楽しむことができた多様な機能をスマートフォンで楽しむことができるようになった。しかし、携帯性を重視するスマートフォンの特性が原因で、ディスプレイ及びインターフェースの大きさが小さくなってしまう。特に、インターフェースの役割とディスプレイの役割とを同時に行うタッチパッドの大きさが制限されることにより、ユーザが所望する入力を正確に行うことが容易ではない。
【発明の概要】
【発明が解決しようとする課題】
【０００３】
前述の問題点を解決するための本発明の目的は、タッチパッドを含むインターフェース装置において、ページ間にオブジェクトを効率的に移動させる方法を提供することを目的とする。
【課題を解決するための手段】
【０００４】
前記目的を達成するための本発明の一側面は、前記オブジェクトを含む第１ページをディスプレイする段階と、前記第１ページ上の前記オブジェクトが、前記第１ページ上の所定の領域に移動されることにより、第１信号を生成する段階と、前記第１信号に応答し、前記第１ページを含む複数枚のページを表示する段階と、前記オブジェクトが第２ページ上に重畳されることによって、第２信号を生成する段階と、前記第２信号に応答し、前記オブジェクトを前記第２ページに移動させる段階と、を含むページ間のオブジェクト移動方法を提供することができる。
【０００５】
また、前記目的を達成するための本発明の他の側面は、第１ページ上のオブジェクトが、前記第１ページ上の所定の領域に移動されれば、第１信号を生成する第１生成部と、前記オブジェクトを含む前記第１ページを表示し、前記第１信号に応答し、前記第１ページを含む複数枚のページを表示する表示部と、前記オブジェクトが第２ページ上に重畳されれば、第２信号を生成する第２生成部と、前記第２信号に応答し、前記オブジェクトを前記第２ページに移動させるページ構成部と、を含むページ間でオブジェクトを移動させるインターフェース装置を提供することができる。
【図面の簡単な説明】
【０００６】
【図１】本発明の一実施形態によるページ間のオブジェクト移動方法に係わるフローチャートである。
【図２】本発明の一実施形態によるページ間でオブジェクトを移動させる一例を示す図面である。
【図３】本発明の一実施形態によるページ間でオブジェクトを移動させる他の例を示す図面である。
【図４】本発明の一実施形態による、パニング信号によって画面を転換する方法に係わるフローチャートである。
【図５】本発明の一実施形態による、パニング信号によってウェブページが表示された画面を転換する一例を示す図面である。
【図６】本発明の一実施形態による、ピンチング信号によってウェブページが表示された画面を転換する一例を示す図面である。
【図７】本発明の一実施形態による、ピンチング入力に基づいてページを再配列する第１例を示す図面である。
【図８】本発明の一実施形態による、ピンチング入力に基づいて上位カテゴリーのオブジェクトが含まれたページを出力する方法に係わるフローチャートである。
【図９】本発明の一実施形態による、ピンチング入力に基づいてページを再配列する第２例を示す図面である。
【図１０】本発明の一実施形態による、ピンチング入力に基づいてページを再配列する第３例を示す図面である。
【図１１】本発明の一実施形態による、ピンチング入力に基づいてページを再配列する第４例を示す図面である。
【図１２】本発明の一実施形態による、ピンチング入力に基づいてページを再配列する第５例を示す図面である。
【図１３】本発明の一実施形態による、ピンチング入力に基づいてページを再配列する第７例を示す図面である。
【図１４】発明の他の実施形態による、ピンチング入力に基づいてページ内のオブジェクトを再配列する方法に係わるフローチャートである。
【図１５】本発明の一実施形態による、ピンチング入力に基づいてページを再配列する第６例を示す図面である。
【図１６】本発明の一実施形態による、ページ間でオブジェクトを移動させる装置に係わるブロック図を示す図面である。
【発明を実施するための形態】
【０００７】
説明の便宜を図るため、本明細書で使用される用語を簡単に定義する。
【０００８】
オブジェクトは、ユーザが選択することができる対象を意味する。ページ内のアイコン、リンク、絵、テキスト、インデックス項目などがオブジェクトの一例である。
【０００９】
ページは、コンテンツ、情報またはオブジェクトが含まれた空間を意味する。例えば、ウェプページ、コンテンツリスト、サムネイルリスト、写真が配列されたトレイ、アイコンが配列されたトレイなどがページの一例である。
【００１０】
タップは、ユーザが指やタッチツールを利用して、画面を非常に早くタッチする動作を示す。すなわち、指やタッチツールが画面に触れる時点であるタッチイン時点と、指やタッチツールが画面から離れる時点であるタッチアウト時点との時間差が非常に短い場合を意味する。
【００１１】
タッチ＆ホールドは、ユーザが指やタッチツールを利用して、画面をタッチした後、臨界時間以上タッチ入力を維持する動作を示す。すなわち、タッチイン時点とタッチアウト時点との時間差が臨界時間以上である場合を意味する。タッチ入力がタップであるかタッチ＆ホールドであるかをユーザに認識させるために、タッチ入力が臨界時間以上維持されれば、視覚的または聴覚的に、フィードバック信号を提供することもできる。
【００１２】
ダブルタップは、ユーザが指やタッチツールを利用して、画面を早く２回タッチする動作を示す。すなわち、ダブルタップは、ユーザがスクリーンを、短く続けて２回タップする動作を示す。
【００１３】
ドラッグは、ユーザが指やタッチツールを画面にタッチした後、タッチを維持した状態で、指やタッチツールを画面上の他の位置に移動させる動作を示す。ドラッグ動作によって、オブジェクトが移動したり、後述するパニング動作が行われる。
【００１４】
パニングは、ユーザがオブジェクトを選択せずに、ドラッグ動作をする場合を示す。パニングは、特定オブジェクトを選択しないので、オブジェクトがページ内で移動されるのではなく、ページ自体が画面上で移動したり、あるいはオブジェクトのグループがページ内で移動する。
【００１５】
フリックは、ユーザが指やタッチツールを利用して、非常に早くドラッグする動作を示す。指やタッチツールの移動速度が、臨界速度以上であるか否かに基づいて、ドラッグ（またはパニング）とフリックとを区別することができる。
【００１６】
ピンチング入力は、ユーザが複数の指やタッチツールを画面にタッチした後、指またはタッチツール間の間隔を広げたり狭める動作を示す。ユーザが、親指と人差し指とを画面に接触させた後、これらの間の間隔を広げる動作をアンピンチング（unpinching）とし、これらの間の間隔を狭める動作をピンチング（pinching）とする。例えば、アンピンチング入力が受信されれば、ページを拡大し、ピンチング入力が受信されれば、ページを縮小することができる。
【００１７】
以下では、添付された図面を参照して、本発明の望ましい実施例について詳細に説明する。
【００１８】
図１は、本発明の一実施形態によるページ間のオブジェクト移動方法に係わるフローチャートを示している。
【００１９】
段階Ｓ１１０では、ユーザが、第１ページ上の少なくとも１つのオブジェクトをタッチした後でドラッグすることにより、少なくとも１つのオブジェクトが、所定の領域に移動されれば、第１信号を生成する。実施形態によっては、ユーザが、少なくとも１つのオブジェクトを所定の領域に移動させた後、指（またはタッチツール）を離さずに、所定時間以上タッチを維持する場合（タッチ＆ホールド）にのみ、第１信号が生成される。さらに厳格な実施形態では、ユーザが少なくとも１つのオブジェクトをタッチした後、所定の領域にドラッグした後、臨界時間の間ホールドするまでの一連の過程で、ユーザがタッチを維持した場合にのみ、第１信号が生成されもする。
【００２０】
所定の領域は、実施形態によって多様に設定することができる。ただし、ユーザが故意にオブジェクトを移動させ難いと判断される領域（例えば、画面のエッジ）を所定の領域と設定するのが望ましい。
【００２１】
段階Ｓ１２０では、第１信号に対応して、第１ページを含む複数枚のページを表示する。このとき、ユーザが１回に複数枚のページをいずれも見られるように、複数枚のページを、深さ方向（図７）に傾けて表示することができる。
【００２２】
段階Ｓ１３０では、ユーザが少なくとも１つのオブジェクトを、複数枚のページのうち１枚である第２ページ上にドラッグすることにより、少なくとも１つのオブジェクトが、第２ページ上に重畳されれば、第２信号を生成する。実施形態により、ユーザが、少なくとも１つのオブジェクトを、第２ページ上にドラッグした後、臨界時間以上タッチを維持する場合（タッチ＆ホールド）にのみ、第２信号を生成することができる。
【００２３】
段階Ｓ１４０では、第２信号に対応して、少なくとも１つのオブジェクトを、第２ページに移動させる。その後、他のページを画面上から除去し、第２ページのみを表示する。
【００２４】
図２（ａ）ないし図２（ｅ）は、本発明の一実施形態による、ページ間でオブジェクトを移動させる一例を示している。図２（ａ）ないし図２（ｅ）では、説明の便宜のために、端末の画面の変化に基づいて、オブジェクトの移動について説明する。
【００２５】
図２（ａ）で、画面には、複数個のオブジェクトを含む第１ページ２１１が表示される。
【００２６】
ユーザは、複数個のオブジェクトのうち１つのオブジェクト２２０を選択した。ユーザは、オブジェクト２２０をタッチした後、臨界時間以上タッチを維持することにより、オブジェクト２２０を選択することができる。
【００２７】
図２（ｄ）でユーザは、選択されたオブジェクト２２０を所定の位置にドラッグした。図２で、所定の位置は、画面のエッジと仮定した。
【００２８】
オブジェクト２２０が所定の位置に移動すれば、第１信号が発せられる。実施形態により、第１信号が発せられるための条件が追加して設定されもする。例えば、ユーザがオブジェクト２２０を所定の位置にドラッグするだけではなく、ドラッグ後にも、第１臨界時間以上タッチを維持した場合、またはオブジェクト２２０の所定領域（例えば、５０％）以上が所定位置を通過した場合にのみ、第１信号が発せられるように設定することができる。
【００２９】
図２（ｃ）で、第１信号が発せられれば、複数枚のページ２１１，２１２，２１３が表示される。
【００３０】
図２（ｄ）で、ユーザは、オブジェクト２２０を第２ページ２１２上にドラッグした。
【００３１】
オブジェクト２２０が第２ページ２１２上に重畳されれば、第２信号が発せられる。第１信号が発せられる条件と同様に、第２信号が発せられる条件をさらに厳格に設定することができる。例えば、ユーザがオブジェクト２２０を第２ページ上にドラッグするだけではなく、ドラッグした後、第２臨界時間以上タッチを維持した後、タッチを終了する場合（すなわち、タッチアップする場合）にのみ、第２信号が発せられるように設定することができる。
【００３２】
図２（ｅ）では、第２信号に対応して、第２ページ２１２だけが画面に表示される。第２ページ２１２には、第１ページ２１１から移動されたオブジェクト２２０が存在する。
【００３３】
従来には、ユーザが第１ページ内のオブジェクトを、第２ページに移動させようとする場合には、オブジェクトを切り取った後、フリックを介してページを転換したり、あるいはスクロールを利用してページを切り替えた後、所望するページにコピーする方式を使用した。その場合、ページの数が増えれば、所望するページにオブジェクトを移動させることが非常に不便であった。
【００３４】
本発明では、所定の条件を満足する場合、複数枚のページを画面に同時に表示することにより、ユーザがオブジェクトを容易に移動させることができる。
【００３５】
図３（ａ）ないし図３（ｄ）は、本発明の一実施形態によるページ間でオブジェクトを移動させる他の例を示している。図３（ａ）ないし図３（ｄ）では、ページを中心に、ページ間のオブジェクト移動について説明する。
【００３６】
図３（ａ）では、複数枚のページが生成されたが、画面上には第１ページ３１１だけが表示された状態である。
【００３７】
ユーザは、タッチ＆ホールドを介して、所望するオブジェクト３２０を選択し、選択したオブジェクト３２０をドラッグし、画面のエッジに移動させる。
【００３８】
図３（ｂ）で、ユーザがオブジェクト３２０を画面のエッジに移動させることにより、画面には、複数枚のページが深さ方向に横になって表示される。このとき、オブジェクト３２０は、第１ページ３１１から外れた位置に表示される。
【００３９】
図３（ｃ）で、ユーザは、オブジェクト３２０を第２ページ３１２にドラッグする。ユーザがオブジェクト３２０をドラッグし、第２ページ３１２上に重畳させた後、臨界時間以上タッチを維持すれば、フィードバック信号が発せられる。
【００４０】
図３（ｄ）で、フィードバック信号が発生した後、ユーザがタッチを終了すれば、画面には、オブジェクト３２０が含まれた第２ページ３１２だけが表示される。図３（ｄ）では、オブジェクト３２０が、第２ページ３１２の中間に配置されたが、オブジェクト３２０が配置される位置は、第２ページ３１２の右側下端や左側下端のように、実施形態によって多様である。
【００４１】
図４は、本発明の一実施形態による、パニング信号によって画面を転換する方法に係わるフローチャートを示している。
【００４２】
段階Ｓ４１０では、第１ページへのパニング入力を受信する。
【００４３】
段階Ｓ４２０では、第１ページの臨界値以上の部分が画面から外れたか否かを判断する。ユーザが第１ページをパニングすれば、第１ページが画面上で移動する。しかし、ユーザが同じ方向に第１ページを続けてパニングすれば、第１ページの一部が画面に表示されないこともある。画面に表示されない部分（すなわち、画面から外れた部分）が臨界値（例えば、第１ページの５０％以上）以上になれば、段階Ｓ４３０を遂行し、そうではなければ、一般的なパニング過程と判断して終了する。
【００４４】
段階Ｓ４３０では、第３信号を生成する。
【００４５】
段階Ｓ４４０では、複数枚のページを表示する。その後、ユーザが複数枚のページのうち１枚を選択すれば、選択したページだけが画面に表示される。
【００４６】
図５（ａ）ないし図５（ｅ）は、本発明の一実施形態による、パニング信号によってウェブページが表示された画面を転換する一例を示している。
【００４７】
図５（ａ）では、画面に第１ページ５１１だけが表示されている。第１ページ５１１だけが実行されていてもよいが、複数枚のウェブページが実行されているが、残りのウェブページは、第１ページ５１１に隠されて表示されない場合であってもよい。
【００４８】
図５（ｂ）で、ユーザは、指またはタッチツールを利用して、第１ページ５１１をパニングする。図５（ａ）ないし図５（ｅ）では、オブジェクトを移動させるドラッグ入力と、ウェブページを移動させるパニング入力とを区分するために、オブジェクトを臨界時間以上タッチ＆ホールドし、オブジェクトが選択された後、選択されたオブジェクトをドラッグすれば、オブジェクトが移動され、オブジェクトが選択されていない状態で、指やタッチツールを利用して画面をドラッグすれば、ウェブページ自体が移動されるものとみなす。
【００４９】
図５（ｃ）で、ユーザが第１ページ５１１を続けてパニングし、第１ページ５１１の半分以上が画面外で消え、第３信号が生成される。実施形態により、ユーザが第１ページ５１１をパニングした後、タッチ＆ホールド時間が臨界時間以上であるか否かをさらに判断して、タッチ＆ホールド時間が臨界時間以上である場合にのみ、第３信号を生成することもできる。他の実施形態では、第１ページが画面外に消えた程度は考慮せずに、タッチ＆ホールド時間のみを考慮し、第３信号を生成することもできる。
【００５０】
図５（ｄ）では、第３信号に対応して、複数枚のウェブページが深さ方向に傾けて表示される。このように、複数枚のページを１つの画面に表示するモードを、インデックスモードと呼ぶこともできる。
【００５１】
その後、ユーザは、第２ページ５１２をタップし、第２ページ５１２を選択する。
【００５２】
図５（ｅ）で、ユーザがタッチを終了（すなわち、タッチアップ）すれば、第２ページ５１２だけが画面に表示される。
【００５３】
複数枚のウェブページがローディングされれば、ウェブページが重なって配置されるのが一般的である。ユーザが第１ウェプページを利用していて、第１ウェプページに隠されて見えない第２ウェプページを利用しようとする場合には、第１ウェプページをパニングした後、重なったウェブページのうち１枚を選択する。このとき、複数枚のウェブページが完全に重なっていたら、重なったウェブページを１枚１枚パニングした後でのみ、所望するウェプページを選択することができた。しかし、本発明では、１回のパニングで、所望するウェブページをたやすく選択することができる。
【００５４】
図６は、本発明の一実施形態による、ピンチング信号によってウェブページが表示された画面を転換する一例を示す。
【００５５】
段階Ｓ６１０では、ピンチング入力が受信されれば、第４信号を生成する。
【００５６】
段階Ｓ６２０では、第４信号に対応して、ページ内に含まれたオブジェクトを容易に認識するように再配列する。すなわち、本来ページに含まれたオブジェクトよりさらに多くのオブジェクトが含まれるように、ページを再配置する。そのために、オブジェクト間の間隔を調整したり、あるいは１つのオブジェクトのサイズを縮めることができる。例えば、本来のページには、音楽を選択するためのオブジェクトが含まれ、それぞれのオブジェクトには、簡単な説明、アーティスト、曲名などが含まれているとするなら、第４信号に対応して、オブジェクトが再配列されたページには、これら音楽に係わるインデックス情報や、上位カテゴリーに該当する項目がオブジェクトとして含まれもする。本明細書では、第４信号に対応して、オブジェクトが再配列されたページには、オブジェクトに係わるインデックスだけが表示されたり、あるいはオブジェクトの占める空間が縮小されたり、提供される情報が少なくなるという意味で、オブジェクトが再配列されたページをインデックスページとする。
【００５７】
図７（ａ）ないし図７（ｃ）は、本発明の一実施形態による、ピンチング入力に基づいて、ページを再配列する第１例を示している。
【００５８】
図７（ａ）では、第１ページ７１１だけが画面に表示される。
【００５９】
図７（ｂ）では、ユーザからピンチング入力が受信された。
【００６０】
ユーザからピンチング入力が受信されれば、第４信号が生成され、第４信号に対応して、複数枚のページが画面上の深さ方向に傾けられて配置される。
【００６１】
図７（ｃ）では、ユーザが第２ページ７１２を選択した。
【００６２】
実施形態により、ユーザが第２ページ７１２を選択すれば、第２ページ７１２だけが含まれた画面が表示される。
【００６３】
図８は、本発明の一実施形態による、ピンチング入力に基づいて、上位オブジェクトが含まれたページを出力する方法に係わるフローチャートを示している。
【００６４】
段階Ｓ８１０では、一つ以上のオブジェクトが含まれた第１ページに、ピンチング入力が受信されれば、第４信号を生成する。
【００６５】
段階Ｓ８２０では、第４信号に対応して、第１ページに含まれたオブジェクトに係わる上位カテゴリーに該当する上位オブジェクトを決定し、上位オブジェクトが含まれた第２ページを生成する。
【００６６】
段階Ｓ８３０では、ユーザから上位オブジェクトのうち一つを選択するタップ入力が受信されれば、第５信号を生成する。
【００６７】
段階Ｓ８４０では、第５信号に対応して、選択された上位オブジェクトに属する一つ以上の下位オブジェクトが含まれた第３ページを生成する。図８では、第４信号または第５信号に対応して、ページを変更して表示すると説明した。しかし、実施形態によっては、第１ページの属性を変更せずに、第１ページに表示されるオブジェクトの種類や位置のみを変更することもできる。
【００６８】
図９（ａ）及び図９（ｂ）は、本発明の一実施形態による、ピンチング入力に基づいて、ページを再配列する第２例を示している。
【００６９】
図９（ａ）で、ページ内に含まれたオブジェクトは、音楽アイコンである。音楽アイコンは、流布日を基準に整列されている。図９（ａ）を参考すれば、２０１０年４月２８日付で流布された音楽が２曲存在し、２０１０年０４月２７日付けで流布された音楽が３曲存在する。
【００７０】
その後、ユーザからピンチング入力が受信されれば、図９（ｂ）のインデックスページが表示される。
【００７１】
図９（ｂ）は、ピンチング入力によるインデックスページ９２０である。インデックスページ９２０には、下位オブジェクトの集合を代表することができる上位オブジェクトが含まれる。例えば、同一日に流布された音楽を代表する日付オブジェクト、曲名の最初の音節が同一である音楽を代表する名称オブジェクト、同一の作曲家が作曲したアーティストオブジェクトなどがインデックスページ９２０に含まれもする。図９（ｂ）のインデックスページ９２０には、流布日を示す日付オブジェクトが含まれる。
【００７２】
ユーザが１つの日付オブジェクトを選択すれば、選択された日付項目（または、隣接した１以上の日付項目）の下位カテゴリーに該当するオブジェクト、すなわち、選択された日付で流布された音楽のアイコンが含まれた第１ページ９１０が表示される。例えば、ユーザが、２０１０年０４月２７日項目を選択したとするならば、２０１０年４月２７日付けで流布された音楽のアイコンが含まれた第１ページ９１０が表示されるのである。
【００７３】
図９（ａ）及び図９（ｂ）では、ユーザが、インデックスページ９２０で、上位オブジェクトをタップする動作によって、下位オブジェクトが含まれた第１ページ９１０が表示されると仮定した。しかし、実施形態により、ユーザからインデックスページ９２０へのアンピンチング入力が受信された場合にも、下位オブジェクトが含まれた第１ページ９１０が表示されもする。
【００７４】
図１０（ａ）ないし図１０（ｄ）は、本発明の一実施形態による、ピンチング入力に基づいて、ページを再配列する第３例を示している。
【００７５】
図１０（ａ）で、ユーザは、音楽アイコンを曲名順に整列させるために、第１ページ１０１０の下端に配置された「song」ボタンをタップした。
【００７６】
図１０（ｂ）で、第２ページ１０２０の音楽アイコンは、曲名順に整列された。その後、ユーザからピンチング入力が受信された。
【００７７】
図１０（ｃ）で、ピンチング入力によって、インデックスページ１０３０を表示する。インデックスページ１０３０には、曲名の最初の音節が同一である音楽コンテンツ集合を代表する曲名オブジェクトが含まれる。インデックスページ１０３０には、ａ〜ｚまでの音節それぞれを示すオブジェクトが配置された後、韓国語の音節それぞれを示すオブジェクトが配置されている。
【００７８】
ユーザは、パニング動作を介して、他の文字を示すオブジェクトを確認することができる。
【００７９】
図１０（ｄ）で、ユーザがインデックスページを下にパニングすれば、韓国語文字に該当するオブジェクトが表示され、ユーザがインデックスページを上にパニングすれば、英語文字に該当する項目が表示される。
【００８０】
図１１（ａ）ないし図１１（ｅ）は、本発明の一実施形態による、ピンチング入力に基づいて、ページを再配列する第４例を示している。
【００８１】
図１１（ａ）ないし図１１（ｄ）は、図１０（ａ）ないし図１０（ｄ）と同一であるので、以下説明を省略する。
【００８２】
図１１（ｅ）では、ユーザからのピンチング入力によって、インデックスページ１１３０が表示される。
【００８３】
その後、インデックスページ１１３０に、アンピンチング入力が受信された。すなわち、ユーザは、親指と人差し指とをインデックスページ１１３０にタッチした状態で、親指と人差し指との間隔が遠くなる方向に、親指と人差し指とを移動させた。ただし、ユーザは、インデックスページ１１３０に対して、アンピンチングを入力した後でも、タッチを終了しない。説明の便宜のために、ユーザがオブジェクトＡ１１３１とオブジェクトＢ１１３２との間に、アンピンチングを入力したと仮定する。
【００８４】
図１１（ｆ）では、タッチを終了しないうちに、オブジェクトＡ１１３１に該当する音楽アイコン１１４１と、オブジェクトＢ１１３２に該当する音楽アイコン１１４２とが表示される。実施形態によっては、オブジェクトＡ１１３１とオブジェクトＢ１１３２とに係わる要約情報がさらに表示される（例えば、各項目に含まれた曲数など）。
【００８５】
その後、ユーザが、親指と人差し指とを画面で離せば、オブジェクトＡ１１３１とオブジェクトＢ１１３２とに該当する音楽アイコン１１４１，１１４２が含まれた第２ページが表示される。
【００８６】
図１２（ａ）及び１２（ｄ）は、本発明の一実施形態による、ピンチング入力に基づいて、ページを再配列する第５例を示している。
【００８７】
図１２（ａ）では、流布日付順にアイコンを整列した第１ページ１２１０が表示される。
【００８８】
ユーザは、音楽アイコンを頻繁に再生した順に整列させるために、ページの下端に配置された「frequent」ボタンをタップした。
【００８９】
図１２（ｂ）では、ユーザからのタップ入力によって、再生回数順にアイコンを整列した第２ページ１２２０が表示される。
【００９０】
その後、ユーザからピンチング入力が受信された。
【００９１】
図１２（ｃ）では、ピンチング入力によって、上位オブジェクトが含まれたインデックスページ１２３０が表示される。図１２（ｃ）のインデックスページ１２３０には、音楽が再生された回数により、３回以上再生された音楽を示すオブジェクト１２３１と、３回以内再生された音楽を示すオブジェクト１２３２とが含まれる。
【００９２】
その後、インデックスページにアンピンチング入力が受信された。ただし、ユーザは、インデックスページに対してアンピンチングを入力した後にもタッチを終了しない。
【００９３】
図１２（ｄ）では、ユーザがタッチを維持する間、３回以上再生された音楽アイコン１２４１と、３回以下再生された音楽アイコン１２４２とが区分されて含まれた第４ページ１２４０が表示される。実施形態によっては、それぞれのグループに係わる簡単な説明（例えば、各グループに含まれた音楽の個数）が表示されもする。
【００９４】
その後、ユーザが親指と人差し指とを画面から離せば、図１２（ｄ）に図示された第２ページ１２２０が表示される。
【００９５】
図１３（ａ）ないし図１３（ｅ）は、本発明の一実施形態による、ピンチング入力に基づいて、ページを再配列する第７例を示している。
【００９６】
図１３（ａ）は、曲名の最初の文字を示す文字オブジェクトが含まれたインデックスページ１３１０が表示される。ユーザが、インデックスページ１３１０内の１つのオブジェクトを選択すれば、当該文字に該当する一つ以上の音楽アイコンが含まれたページが表示されるのである。
【００９７】
ユーザは、インデックスページ１３１０に対してタッチ＆ホールド動作を遂行した。説明の便宜のために、ユーザは、オブジェクトＹ１３１１を選択したと仮定する。
【００９８】
図１３（ｂ）では、ユーザのタッチ＆ホールド動作に対応して、サブオブジェクトが表示される。サブオブジェクトは、上位オブジェクトに属する下位オブジェクトを複数個のサブグループに分ける場合、サブグループを示すオブジェクトである。ユーザは、上位オブジェクトと下位オブジェクトとを同時に選択することにより、所望する音楽をさらに容易に選択することが可能である。
【００９９】
一例として、インデックスページ１３１０内の上位オブジェクトは、曲名の最初の文字を示し、サブオブジェクトは、曲名の２番目の文字を示すことができる。他の例としては、インデックスページ１３１０内の上位オブジェクトは、曲名の最初の文字を示し、サブオブジェクトは、アーティストの最初の文字を示すことができる。
【０１００】
図１３（ｃ）で、ユーザがサブオブジェクトを検索するために、パニング動作を遂行する。
【０１０１】
図１３（ｄ）で、ユーザは、サブオブジェクトを選択した。説明の便宜のために、ユーザがオブジェクトＯ１３１２を選択したと仮定する。
【０１０２】
図１３（ｅ）では、上位オブジェクトに該当するＹを曲名の最初の文字にし、サブオブジェクトに該当するＯを、曲名の２番目の文字にする音楽アイコンが含まれた第１ページ１３２０が表示される。
【０１０３】
図１４は、本発明の他の実施形態による、ピンチング入力に基づいて、ページ内のオブジェクトを再配列する方法に係わるフローチャートを示している。
【０１０４】
段階Ｓ１４１０では、一つ以上のオブジェクトを含む第１ページへのピンチング入力が受信されれば、第４信号を生成する。
【０１０５】
段階Ｓ１４２０では、第４信号に対応して、オブジェクトを重畳配置された第２ページを表示する。
【０１０６】
段階Ｓ１４３０では、第２ページに含まれたオブジェクトを選択するタップ信号が受信されれば、第５信号を生成する。
【０１０７】
段階Ｓ１４４０では、第５信号に対応して選択されたオブジェクトに隣接した一つ以上のオブジェクトが重畳されずに開かれて配置された第３ページを表示する。このとき、第２ページへのタッチ入力が維持される間には、選択されたオブジェクトと同一の行に位したオブジェクトだけが重畳されないように配置された第４ページを表示し、タッチ入力が終われば（すなわち、タッチアップ動作が遂行されれば）、選択されたオブジェクトに隣接した複数行に位置したオブジェクトがいずれも重畳されないように配置された第３ページを表示する。
【０１０８】
図１５（ａ）ないし図１５（ｄ）は、本発明の一実施形態による、ピンチング入力に基づいて、ページを再配列する第６例を示している。
【０１０９】
図１５（ａ）では、選択可能な写真オブジェクトが含まれた第１ページ１５１０が表示される。ユーザが、第１ページ１５１０内の１つのオブジェクトを選択すれば、当該オブジェクトに該当する写真が拡大されて画面に表示される。
【０１１０】
ユーザは、第１ページ１５１０に対してピンチング動作を遂行した。
【０１１１】
図１５（ｂ）では、ユーザのピンチング動作に対応して、写真オブジェクトが重畳されるように配置されたインデックスページ１５２０が表示される。写真オブジェクトを重畳して配置するとしても、それぞれのオブジェクトを識別することができる程度にのみ重畳させることが望ましい。
【０１１２】
その後、ユーザがインデックスページ１５２０の下端をタッチした。
【０１１３】
図１５（ｃ）では、ユーザのタッチ動作に対応して、タッチされた位置に隣接した一つ以上の写真オブジェクトだけが開かれ、残りの領域に表示されるオブジェクトは、相変らず重畳されて表示される。本実施形態では、タッチされた位置と同一行に配置されたオブジェクトだけが開かれる。
【０１１４】
その後、ユーザが指をインデックスページ１５２０から離した。
【０１１５】
図１５（ｄ）で、ユーザのタッチアップ動作に対応して、タッチされた位置に隣接した一つ以上の写真オブジェクトが重畳されないように配置された第２ページ１５３０が表示される。
【０１１６】
図１６は、本発明の一実施形態による、ページ間でオブジェクトを移動させる装置に係わるブロック図を示している。
【０１１７】
本発明の一実施形態によるオブジェクト移動装置１６００は、第１生成部１６１０、第２生成部１６２０、表示部１６３０、ページ構成部１６４０を含む。
【０１１８】
第１生成部１６１０は、第１ページ上の少なくとも１つのオブジェクトが、所定の領域に移動すれば、第１信号を生成する。実施形態によっては、第１信号が生成される条件をさらに厳格に定義することができる。例えば、オブジェクトが所定の領域に移動された後、タッチが終わらない状態で、オブジェクトが所定時間の間、同じところに位置する場合にのみ、第１信号が生成されるように設定することができる。所定の領域は、実施形態によって多様に設定することができるが、画面のエッジのように、オブジェクトを意図的に移動させる確率が少ない位置を、所定の領域と設定することが望ましい。
【０１１９】
表示部１６３０は、第１信号に対応して、第１ページを含む複数枚のページを表示する。表示部１６３０は、複数枚のページを画面の深さ方向に傾けて表示したり、あるいは画面に一直線に表示するが、一部が重畳されるように表示することができる。
【０１２０】
第２生成部１６２０は、少なくとも１つのオブジェクトが第２ページの位置に重畳されれば、第２信号を生成する。実施形態によっては、第２信号が生成される条件を、さらに厳格に定義することができる。例えば、ユーザがオブジェクトをタッチした後、第２ページと重畳させるまでタッチを維持した場合、ユーザがオブジェクトを、第２ページと重畳させた後、所定時間の間オブジェクトの位置が変更されない場合にのみ、第２信号が生成されるように設定することができる。
【０１２１】
ページ構成部１６４０は、第２信号の発生に対応して、少なくとも１つのオブジェクトを、第２ページに移動させる。
【０１２２】
オブジェクト移動装置１６００は、パニング入力によって、ページが画面から外れた領域が臨界値以上になれば、第３信号を生成する第３生成部（図示せず）、ピンチング入力によって、第４信号を生成する第４生成部（図示せず）、オブジェクトのうち一つを選択するタップ入力によって、第５信号を生成する第５生成部（図示せず）をさらに含んでもよい。
【０１２３】
また、ページ構成部１６４０は、第３信号ないし第５信号の発生に対応して、所定の動作を行う。
【０１２４】
例えば、ページ構成部１６４０は、第３信号の発生に対応して、複数枚のページを表示し、第４信号の発生に対応して、上位カテゴリーに該当するオブジェクトが含まれたページを表示したり、あるいはオブジェクトが重畳されるように配置されたページを表示する。また、第５信号に対応して、選択された上位オブジェクトに属する下位オブジェクトが含まれたページを表示したり、あるいはオブジェクトが重畳されないように広げて配置されたページを表示する。
【０１２５】
一方、前述の本発明の実施形態は、コンピュータで実行されるプログラムに作成可能であり、コンピュータで読み取り可能な記録媒体を利用して、前記プログラムを動作させる汎用デジタルコンピュータで具現されもする。
【０１２６】
前記コンピュータで読み取り可能な記録媒体は、マグネチック記録媒体（例えば、ＲＯＭ（read-only memory）、フロッピー（登録商標）ディスク、ハードディスクなど）、光学的判読媒体（例えば、ＣＤ（compact disc）−ＲＯＭ、ＤＶＤ（digital versatile disc）など）、及びキャリアウエーブ（例えば、インターネットを介した伝送）のような記録媒体を含む。
【０１２７】
以上、本発明についてその望ましい実施形態を中心に説明した。本発明が属する技術分野で当業者であるならば、本発明が本発明の本質的な特性から外れない範囲で変形された形態に具現されるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にあるすべての差異は、本発明に含まれたものであると解釈されなければならないのである。
【符号の説明】
【０１２８】
２１１…  第１ページ
２１２…  第２ページ
２１３…  第３ページ
２２０…  オブジェクト
３１１…  第１ページ
３１２…  第２ページ
３２０…  オブジェクト
５１１…  第１ページ
５１２…  第２ページ
７１１…  第１ページ
７１２…  第２ページ
９１０…  第１ページ
９２０…  インデックスページ
１０１０…  第１ページ
１０２０…  第２ページ
１０３０…  インデックスページ
１１３０…  インデックスページ
１１３１…  オブジェクトＡ
１１４１…  音楽アイコン
１１４２…  音楽アイコン
１２１０…  第１ページ
１２２０…  第２ページ
１２３０…  インデックスページ
１２３１…  オブジェクト
１２３２…  オブジェクト
１２４０…  第４ページ
１２４１…  音楽アイコン
１２４２…  音楽アイコン
１３１０…  インデックスページ
１３１１…  オブジェクトＹ
１３２０…  第１ページ
１５１０…  第１ページ
１５２０…  インデックスページ
１５３０…  第２ページ
１６００…  オブジェクト移動装置
１６１０…  第１生成部
１６２０…  第２生成部
１６３０…  表示部
１６４０…  ページ構成部
【図１】
2014505932.tif 000003
【図２】
2014505932.tif 000004
【図３】
2014505932.tif 000005
【図４】
2014505932.tif 000006
【図５】
2014505932.tif 000007
【図６】
2014505932.tif 000008
【図７】
2014505932.tif 000009
【図８】
2014505932.tif 000010
【図９】
2014505932.tif 000011
【図１０】
2014505932.tif 000012
【図１１】
2014505932.tif 000013
【図１２】
2014505932.tif 000014
【図１３】
2014505932.tif 000015
【図１４】
2014505932.tif 000016
【図１５】
2014505932.tif 000017
【図１６】
2014505932.tif 000018
【国際調査報告】
2014505932.tif 000019
2014505932.tif 000020